【手続補正書】
【提出日】平成20年9月25日(2008.9.25)
【手続補正１】
【補正対象書類名】特許請求の範囲
【補正対象項目名】全文
【補正方法】変更
【補正の内容】
【特許請求の範囲】
【請求項１】
（ａ）Ｃ６〜Ｃ２２のアルキル基を有するアルキルベンゼンスルホン酸塩を含んでいるアニオン性基本界面活性剤配合物５重量％〜５０重量％、および
（ｂ）
2008516012.tif 000001
2008516012.tif 000002
およびこれらの混合物
（ここで、Ｒ１はＣ６〜Ｃ２２の、直鎖若しくは分岐の、飽和若しくは不飽和のアルキルであり；Ｒ４、Ｒ５、およびＲ６はそれぞれ水素、メチル、ヒドロキシエチル、ヒドロキシプロピルか、あるいはアルキルのいずれかであり；またはＲ４およびＲ５は窒素とともに６員までの複素環を形成し；またはＲ４およびＲ５は一緒になって−ＣＨ２ＣＨ２ＯＣＨ２ＣＨ２−基を形成し；ｗ、およびｙはそれぞれ２〜６の整数であり；並びにｕは１以上の整数である。）
からなる群から選択された少なくとも１の脂肪族アミン誘導体
を含んでいる軽質液体洗剤組成物。
【請求項２】
ベタイン、アルカノールアミド、アミンオキシド、アルキルポリグルコシド、脂肪酸グルカミド、脂肪族アルカノールアミドおよびこれらの混合物からなる群から選択された少なくとも１の二次界面活性剤をさらに含んでいる、請求項１の組成物。
【請求項３】
脂肪族アミン誘導体が０．１重量％〜１０重量％に等しい量で存在する、請求項１の組成物。
【請求項４】
脂肪族アミン誘導体が０．１重量％〜５重量％に等しい量で存在する、請求項３の組成物。
【請求項５】
脂肪族アミン誘導体が０．１重量％〜２重量％に等しい量で存在する、請求項４の組成物。
【請求項６】
アルキルベンゼンスルホン酸塩がドデシルベンゼンスルホン酸塩である、請求項１の組成物。
【請求項７】
ドデシルベンゼンスルホン酸塩が、該組成物の７重量％〜３０重量％に等しい量で存在する、請求項６の組成物。
【請求項８】
ドデシルベンゼンスルホン酸塩が、該組成物の１５重量％〜３０重量％に等しい量で存在する、請求項７の組成物。
【請求項９】
アニオン性界面活性剤基本配合物が、オレフィンスルホン酸塩、パラフィンスルホン酸塩、第二級アルカンスルホン酸塩、脂肪族アルコール硫酸塩およびこれらの混合物からなる群から選択された少なくとも１の追加のアニオン性界面活性剤をさらに含んでいる、請求項１の組成物。
【請求項１０】
ｐＨ５〜１１を有する、請求項１の組成物。
【請求項１１】
ｐＨ７．５〜９．５を有する、請求項１の組成物。
【請求項１２】
マグネシウムイオンまたはカルシウムイオンをさらに含んでいる、請求項１の組成物。
【請求項１３】
マグネシウムイオン０．２５％未満を含んでいる、請求項１２の組成物。
【請求項１４】
少なくとも１のヒドロトロープをさらに含んでいる、請求項１の組成物。
【請求項１５】
少なくとも１の泡安定剤をさらに含んでいる、請求項１の組成物。
【請求項１６】
少なくとも１の緩衝剤をさらに含んでいる、請求項１の組成物。
【請求項１７】
少なくとも１の中和剤をさらに含んでいる、請求項１の組成物。
【請求項１８】
染料、保存剤、芳香剤、フィラー、キレート剤、可溶化剤、抗刺激剤、防汚ポリマー、分散剤、増粘剤、殺菌剤、抗真菌剤、明色化剤、酵素、研磨剤、および防錆剤からなる群から選択された少なくとも１の助剤をさらに含んでいる、請求項１の組成物。
【請求項１９】
アニオン性界面活性剤基本配合物が、実質的にエーテル硫酸塩を含まない、請求項１の組成物。
【請求項２０】
（ａ）ドデシルベンゼンスルホン酸１５重量％未満、および
（ｂ）
2008516012.tif 000003
2008516012.tif 000004
およびこれらの混合物
（ここで、Ｒ１はＣ６〜Ｃ２２の、直鎖若しくは分岐の、飽和若しくは不飽和のアルキルであり；Ｒ４、Ｒ５、およびＲ６はそれぞれ水素、メチル、ヒドロキシエチル、ヒドロキシプロピルか、あるいはアルキルのいずれかであり；またはＲ４およびＲ５は窒素とともに６員までの複素環を形成し；またはＲ４およびＲ５は一緒になって−ＣＨ２ＣＨ２ＯＣＨ２ＣＨ２−基を形成し；ｗ、およびｙはそれぞれ２〜６の整数であり；並びにｕは１以上の整数である。）
からなる群から選択された少なくとも１の脂肪族アミン誘導体
を含んでいる軽質液体洗剤組成物。
【請求項２１】
脂肪族アミン誘導体が０．１重量％〜１０重量％に等しい量で存在する、請求項２０の組成物。
【請求項２２】
脂肪族アミン誘導体が０．１重量％〜５重量％に等しい量で存在する、請求項２１の組成物。
【請求項２３】
脂肪族アミン誘導体が０．１重量％〜２重量％に等しい量で存在する、請求項２２の組成物。
【請求項２４】
ドデシルベンゼンスルホン酸が、該組成物の７重量％〜１５重量％に等しい量で存在する、請求項２０の組成物。
【請求項２５】
マグネシウムイオン０．２５％未満をさらに含んでいる、請求項２０の組成物。
【請求項２６】
アニオン性界面活性剤基本配合物が、実質的にエーテル硫酸塩を含まない、請求項２０の組成物。
【請求項２７】
（ａ）請求項１に従う軽質液体洗剤組成物の有効な量を硬質表面に施与すること、
（ｂ）該軽質液体洗剤組成物が汚れを落ち易くすることを許すこと、および
（ｃ）該硬質表面をすすいで、落ち易くされた汚れおよび該軽質液体洗剤組成物の在りうる残留量を除去すること
を含む、硬質表面から汚れを除去する方法。
【請求項２８】
（ａ）請求項１に従う組成物の、洗浄に有効な量が、布、スポンジまたは同様の洗浄具上へと吸収され、そして
（ｂ）該布、スポンジまたは同様の洗浄具が、汚れた１または複数の物品の表面に接触される、
汚れた１または複数の物品を洗う方法。
【請求項２９】
汚れた１または複数の物品が水でそそがれる段階（ｃ）をさらに含む、請求項２８に従う汚れた物品を洗う方法。
【請求項３０】
請求項１に従う組成物の、洗浄に有効な量が水で希釈されて、希釈溶液が形成され、汚れた１または複数の物品が該希釈溶液中に浸漬されそして該汚れた物品のそれぞれの表面が布、スポンジまたは同様の洗浄具に接触されることによって洗浄される、該汚れた１または複数の物品を洗う方法。
【請求項３１】
請求項１に従う組成物の、洗浄に有効な量が水で希釈されて、希釈溶液が形成され、布、スポンジまたは同様の洗浄具が最初に該希釈溶液中に浸漬され、そして次に該布、スポンジまたは同様の洗浄具が汚れた１または複数の物品の表面と接触される、該汚れた１または複数の物品を洗う方法。
【請求項３２】
（ａ）少なくとも１の中和剤を水に添加して、溶液を形成すること、
（ｂ）Ｃ６〜Ｃ２２のアルキル基を有するアルキルベンゼンスルホン酸を溶液（ａ）に添加すること、
（ｃ）任意的に、マグネシウムイオン、カルシウムイオン、ヒドロトロープ、二次的界面活性剤、泡安定剤、緩衝剤、染料、保存剤、芳香剤、フィラー、キレート剤、可溶化剤、抗刺激剤、防汚ポリマー、分散剤、増粘剤、殺菌剤、抗真菌剤、明色化剤、酵素、研磨剤、および防錆剤からなる群から選択された１以上の追加の成分を溶液（ｂ）に添加すること、および
（ｄ）
2008516012.tif 000005
2008516012.tif 000006
およびこれらの混合物
（ここで、Ｒ１はＣ６〜Ｃ２２の、直鎖若しくは分岐の、飽和若しくは不飽和のアルキルであり；Ｒ４、Ｒ５、およびＲ６はそれぞれ水素、メチル、ヒドロキシエチル、ヒドロキシプロピル、若しくはアルキルのいずれかであり；またはＲ４およびＲ５は窒素とともに６員までの複素環を形成し；またはＲ４およびＲ５は一緒になって−ＣＨ２ＣＨ２ＯＣＨ２ＣＨ２−基を形成し；ｗ、およびｙはそれぞれ２〜６の整数であり；並びにｕは１以上の整数である。）
からなる群から選択された少なくとも１の脂肪族アミン誘導体を溶液（ｃ）に添加すること
の段階を含む軽質液体洗剤組成物の調製方法。
【請求項３３】
１以上の粘度調整剤または組成物のｐＨを調整するための緩衝剤を添加することをさらに含む、請求項３２に従う方法。
【請求項３４】
請求項３２に従う方法によって製造された軽質液体洗剤組成物。